(57)【要約】【課題】おもちゃ的要素と手品的要素を加えたとくに紙幣を貯金する際に用いて好適なおもしろ貯金箱を提供せんとする。【解決手段】筐体内に互いに接して取り付けた一対の第１ロールと第２ロールを動作させることにより、前記筐体に設けた紙幣挿入用スリットから挿入された紙幣を前記筐体内部に仕切り壁を介して設けた紙幣貯留室へ受け入れる紙幣受入れ手段と、前記第２ロールの動作に同期して複数の短冊状に切られた模擬紙幣を前記筐体に設けたところの模擬紙幣出し入れ室の透明窓部から見えるように所定幅送り出しさらに元位置に戻すことのできる模擬紙幣出し入れ手段と、前記紙幣受入れ手段と前記模擬紙幣出し入れ手段とを動作させる駆動手段とを有するように構成することで解決した。【選択図】      図１２
2016116784.tif 000002
【特許請求の範囲】
【請求項１】
筐体内に互いに接して取り付けた一対の第１ロールと第２ロールを動作させることにより、前記筐体に設けた紙幣挿入用スリットから挿入された紙幣を前記筐体内部に仕切り壁を介して設けた紙幣貯留室へ受け入れる紙幣受入れ手段と、前記第２ロールの動作に同期して複数の短冊状に切られた模擬紙幣を前記筐体に設けたところの模擬紙幣出し入れ室の透明窓部から見えるように所定幅送り出しさらに元位置に戻すことのできる模擬紙幣出し入れ手段と、前記紙幣受入れ手段と前記模擬紙幣出し入れ手段とを動作させる駆動手段とを有することを特徴とする、おもしろ貯金箱。
【請求項２】
前記一対の第１ロールと第２ロールのうち前記紙幣貯留室側の第１ロールは、前記第２ロールの側に移動可能に設けられていることを特徴とする、請求項１に記載のおもしろ貯金箱。
【請求項３】
前記模擬紙幣出し入れ手段において、前記模擬紙幣は前記模擬紙幣出し入れ室側に位置する前記第２ロールに巻き付け巻き戻し可能にその一端部側を取り付けられており、さらに前記模擬紙幣に重ねて一端部側を取り付けられて巻き付け巻き戻し可能に前記第２ロールに取り付けられ、他端部側を前記筐体の底部側に回転可能に取り付けた第３ロールに巻き付け巻き戻し可能に取り付けられた駆動ベルトが設けられていることを特徴とする、請求項１に記載のおもしろ貯金箱。
【請求項４】
前記駆動手段は、前記筐体に揺動可能に取り付けた切換プレートに操作ハンドルを取り付けて回転可能に設けた駆動ギアと、それぞれこの駆動ギアと噛み合い前記切換プレートに回転可能に取り付けられた一対の第１ギア及び第２ギアと、前記第２ロールに取り付けられ前記第１ギアによって駆動させられる第１クラッチ手段付きの第３ギアと、前記第３ロールに取り付けられ前記第２ギアによって直接或は間接的に駆動させられる第２クラッチ手段付きの第４ギアと、で構成したことを特徴とする、請求項１に記載のおもしろ貯金箱。
【請求項５】
前記模擬紙幣出し入れ室には、押し出された前記模擬紙幣の表面を押える透明の押えカバーが取り付けられていることを特徴とする、請求項１に記載のおもしろ貯金箱。
【請求項６】
前記第１クラッチ手段と第２クラッチ手段のいずれか一方或は双方は、ギア式伝達機構であることを特徴とする、請求項１に記載のおもしろ貯金箱。
【請求項７】
前記第１クラッチ手段と第２クラッチ手段のいずれか一方或は双方は、摩擦式伝達機構であることを特徴とする、請求項１に記載のおもしろ貯金箱。
【請求項８】
前記模擬紙幣は、本物の紙幣風にカラー印刷したものに、黄色のフィルター色を追加印刷し、この黄色と補色関係となる紫色や青色などで透明窓部を構成したことを特徴とする、請求項１に記載のおもしろ貯金箱。
【請求項９】
前記筐体にはさらに、表示ランプ及び又は音声発生手段が取り付けられていることを特徴とする、請求項１に記載のおもしろ貯金箱。
【発明の詳細な説明】
【技術分野】
【０００１】
本発明は、おもちゃ的要素乃至手品的要素を盛り込んだとくに紙幣のおもしろ貯金箱に関する。
【背景技術】
【０００２】
従来、紙幣を貯金する貯金箱において、この貯金箱を構成する筐体に紙幣挿入用スリットを設け、このスリットに接し前記筐体の内側に一対の送りロールを設け、この送りロールを筐体の外側に設けた操作ハンドルで回転させることにより、紙幣挿入用スリットから挿入された紙幣を筐体の中に収容させる構成の貯金箱が、例えば下記特許文献１において公知である。
【先行技術文献】
【特許文献】
【０００３】
【特許文献１】実開昭５０−１４０４９５号公報
【発明の概要】
【発明が解決しようとする課題】
【０００４】
しかしながら、この引用文献１に帰さされた構成のものでは何ら面白味のないことから、本発明は、さらにおもちゃ的要素と手品的要素を加えた、とくに紙幣を貯金する際に用いて好適なおもしろ貯金箱を提供せんとするにある。
【課題を解決するための手段】
【０００５】
上記目的を達成するために本発明は、筐体内に互いに接して取り付けた一対の第１ロールと第２ロールを動作させることにより、前記筐体に設けた紙幣挿入用スリットから挿入された紙幣を前記筐体内部に仕切り壁を介して設けた紙幣貯留室へ受け入れる紙幣受入れ手段と、前第２ロールの動作に同期して複数の短冊状に切られた模擬紙幣を前記筐体に設けたところの模擬紙幣出し入れ室の透明窓部から見えるように所定幅送り出しさらに元位置に戻すことのできる模擬紙幣出し入れ手段と、前記紙幣受入れ手段と前記模擬紙幣出し入れ手段とを動作させる駆動手段とを有することを特徴とする。
【０００６】
その際に本発明は、前記一対の第１ロールと第２ロールのうち前記紙幣貯留室側の第１ロールは、前記第２ロールの側に移動可能に設けられていることを特徴とする。
【０００７】
本発明はまた、前記模擬紙幣出し入れ手段において、前記模擬紙幣は前記模擬紙幣出し入れ室側に位置する前記第２ロールに巻き付け巻き戻し可能にその一端部側を取り付けられており、さらに前記模擬紙幣に重ねて一端部側を取り付けられて巻き付け巻き戻し可能に前記第２ロールに取り付けられ、他端部側を前記筐体の底部側に回転可能に取り付けた第３ロールに巻き付け巻き戻し可能に取り付けられた駆動ベルトが設けられていることを特徴とする。
【０００８】
本発明はさらに、前記駆動手段を、前記筐体に揺動可能に取り付けた切換プレートに操作ハンドルを取り付けて回転可能に設けた駆動ギアと、それぞれこの駆動ギアと噛み合い前記切換プレートに回転可能に取り付けられた一対の第１ギア及び第２ギアと、前記第２ロールに取り付けられ前記第１ギアによって駆動させられる第１クラッチ手段付きの第３ギアと、前記第３ロールに取り付けられ前記第２ギアによって直接或は間接的に駆動させられる第２クラッチ手段付きの第４ギアと、で構成したことを特徴とする。
【０００９】
本発明はさらに、前記模擬紙幣室には、押し出された前記模擬紙幣の表面を押える透明の押えカバーが取り付けられていることを特徴とする。
【００１０】
本発明はさらに、前記第１クラッチ手段と第２クラッチ手段のいずれか一方或は双方は、ギア式伝達機構であることを特徴とする。
【００１１】
本発明はさらに、前記第１クラッチ手段と第２クラッチ手段のいずれか一方或は双方は、摩擦式伝達機構であることを特徴とする。
【００１２】
本発明はさらに、前記模擬紙幣に、本物風の紙幣にカラー印刷したものに、黄色のフィルター色を追加印刷し、この黄色と補色関係となる紫色や青色などで透明窓部を構成したことを特徴とする。
【００１３】
そして本発明は、前記筐体にはさらに、表示ランプ及び又は音声発生手段が取り付けられていることを特徴とする。
【発明の効果】
【００１４】
本発明は上記のように構成したので、紙幣挿入用スリットから本物の１０，０００円札紙幣を挿入させて操作ハンドルを正方向（右方向）へ回すと、本物の１０，０００円札紙幣は、第１ロールと第２ロールに案内されて紙幣貯留内に収容されるが、同時に短冊状に切った模擬紙幣が第２ロールによって押し出されて降下し模擬紙幣室に降りてくるので、これを透明窓部を介して見た者は、投入された１０，０００円札紙幣があたかもシュレッダーで切断されてしまったかのような錯覚を受け、思わずハッとする感覚を受けるものである。
【００１５】
また、本物の１０，０００円札紙幣を例えば半分程度紙幣貯留室へ導いたところで、操作ハンドルを今度が逆方向（左方向）へ回転させると、紙幣挿入用スリットから１０，０００円札紙幣が戻され、模擬紙幣も巻き戻されることから、あたかも切れた１０、０００円札紙幣が元の状態に戻ったような錯覚を受けるので驚き、さらに興趣に富んだおもしろ貯金箱とすることができるものである。
【図面の簡単な説明】
【００１６】
【図１】本発明に係るおもしろ貯金箱の斜視図である。
【図２】図１に示したおもしろ貯金箱の平面図である。
【図３】図１に示したおもしろ貯金箱の平面断面図である。
【図４】図２のＡ−Ａ線で割って駆動手段を説明するための拡大側断面図である。
【図５】図２のＢ−Ｂ線で割って見た筐体内部の拡大断面図である。
【図６】クラッチ手段を示す断面図であり、(ａ)は第２ロールの部分の第１クラッチ手段を示し、(ｂ)は第３ロールの部分の第２クラッチ手段を部分を示している。
【図７】駆動手段の切換手段の部分の断面図である。
【図８】本発明に係るおもしろ貯金箱の動作を説明するために、その表面から見た説明図である。
【図９】本発明に係るおもしろ貯金箱の動作を説明するために、その表面から見た説明図である。
【図１０】本発明に係るおもしろ貯金箱の動作を説明するために、その表面から見た説明図である。
【図１１】本発明に係るおもしろ貯金箱の動作を説明するために、おもしろ貯金箱を縦方向に割って見た説明図である。
【図１２】本発明に係るおもしろ貯金箱の動作を説明するために、おもしろ貯金箱を縦方向に割って見た説明図である。
【図１３】本発明に係るおもしろ貯金箱の動作を説明するために、おもしろ貯金箱を縦方向に割って見た説明図である。
【図１４】本発明に係るおもしろ貯金箱の駆動手段の切換手段の動作を示す説明図である。
【図１５】本発明に係るおもしろ貯金箱の第２ロールと第３ロールのクラッチ手段の他の実施例を示し、(ａ)は第２ロールの部分の第１クラッチ手段を示し、(ｂ)は第３ロールの部分の第２クラッチ手段を示している。
【発明を実施するための形態】
【００１７】
以下に本発明に係るおもしろ貯金箱の好適な実施例を図面に基づいて説明する、図面によれば、図１乃至図７において、指示記号１で示したものは本発明に係るおもしろ貯金箱である。このおもしろ預金箱１は、筐体２と、この筐体２内部に設けられた紙幣受入れ手段３と、模擬紙幣出し入れ手段５と、紙幣受入れ手段３と模擬紙幣の出し入れ手段５を動作させる駆動手段６と、で構成されている。
【００１８】
筐体２は、例えば合成樹脂製の成形品で、平面楕円形状、正面矩形状を呈したケース状のもので、外側の２つ割りの両端部側が湾曲した形状の前側カバー部２ａ及び後側カバー部２ｂと、この前側カバー部２ａ及び後側カバー部２ｂの上側に取り付けられた天板２ｃと、前側カバー部２ａ及び後側カバー部２ｂの下側に取り付けられた底板２ｄと、内部に設置された機枠７とで構成されており、筐体２の内部には機枠７に取り付けた仕切壁７ａで上下方向に仕切られることにより、後部側の紙幣貯留室７ｂと前側の模擬紙幣出し入れ室７ｃが設けられている。また、筐体２の天板２ｃには紙幣挿入用スリット２ｆと、硬貨投入口２ｇと、表示ランプ２ｈと、音声発生手段２ｉと、フォトセンサー２ｊなどが設置されており、底板２ｄの一部は蓋体２ｅとして筐体２に対し、着脱可能或は開閉可能に取り付けられ、紙幣貯留室７ｂ内に貯められた紙幣２８を取り出すことができるようになっている。さらに、筐体２の底部側には電池の収容部２ｋが設けられ、内部に電池２ｍが収容される構成である。
【００１９】
尚、図面では、筐体２に表示ランプ２ｈや、音声発生手段２ｉ、硬貨投入口２ｇ、フォトセンサー２ｊなどが設けられている。これらのものはこれらがあると、音声発生手段２ｉから音声が発生し、表示ランプ２ｈが点灯点滅をすることにより、より一層興趣が湧くものであるが、必要に応じて省略することも可能である。フォトセンサー２ｊは、光透過型や光反射型のいずれであってもよいが、紙幣が紙幣挿入用スリット２ｆへ挿入されると動作し、表示ランプ２ｈや音声発生手段２ｉの図示してない駆動回路をＯＮさせるものである。
【００２０】
紙幣受入れ手段３は、紙幣挿入用スリット２ｆと、紙幣貯留室７ｂと、この紙幣貯留室７ｂと紙幣挿入用スリット２ｆとの間に筐体２内に位置して互いに接して設けられ、筐体２内部の機枠７の両側板７ｄ、７ｅ間に対し回転可能に取り付けられたところの紙幣貯留室７ｂ側の第１ロール８及び模擬紙幣出し入れ室７ｃ側の第２ロール９とで構成されている。第１ロール８の外周には摩擦性に富んだ例えば樹脂製のフリクションリング８ａが複数個取り付けられると共に、機枠７の両側板７ｄ、７ｅの第１ロール８の支軸８ｂの軸支部分にはガイド長孔７ｆ、７ｆ（一方のみ表示）が設けられており、第１ロール８は第２ロール９に向けて半径方向へスライド可能である。ここの部分はスプリングなどを用いて第１ロール８が第２ロール９に圧接するように構成してもよい。
【００２１】
模擬紙幣出し入れ手段５は、第１ロール８及び第２ロール９と、前面部に透明窓部７ｇを設けて成る模擬紙幣出し入れ室７ｃと、表面側の片側だけに本物風の紙幣の図柄をカラー印刷した上で、一片側を残して複数の短冊状に切ってあり、紙幣の切ってない片側を第２ロール９に固着し、巻き込み巻き戻し可能に設けた模擬紙幣４と、この模擬紙幣４の上側に重ね合わせて第２ロール９にその一端部側を共に固着すると共に、他端部を筐体２の底部側に回転可能に軸架した第３ロール２２に固着したところの駆動ベルト１０とで構成されている。尚、模擬紙幣４は、本物の紙幣風に片面側のみをカラー印刷したものに、例えば黄色のフィルター色を追加印刷し、この黄色と補色関係となる、例えば紫色や青色などで透明窓部７ｇを構成すると、この透明窓部７ｇを介して模擬紙幣４を見た場合に、より本物風の紙幣の色となるので、望ましい実施例となる。さらに、透明窓部７ｇと模擬紙幣４との間には、当該模擬紙幣４が丸まってしまうのを防止する透明の押えカバー１１が取り付けられている。また、透明窓部７ｇは無色透明にし、上記したような色つきの透明シート(図示せず)を透明窓部７ｇに重ねて設けるようにしてもよい。本発明において、透明窓部７gとはこのような構成のものも含んでいる。
【００２２】
尚、模擬紙幣４と駆動ベルト１０の各一端部側を第２ロール９へ固着する手段は、第２ロール９側の軸方向へ、とくに図６の(ａ)に示したように、スリット９ｃを設け、このスリット９ｃへ模擬紙幣４と駆動ベルト１０の各一端部側を挿入した上で、取付ピン９ｄで固着してある。駆動ベルト１０の他端部側を第３ロール２２へ固着する場合にも、第３ロール２２の軸方向に、とくに図６の（ｂ）に示したように、スリット２２ｃを設け、このスリット２２ｃへ駆動ベルト１０の他端部を挿入させ、取付ピン２２ｄで固着してある。
【００２３】
駆動手段６は、筐体２内部の機枠７の両側板７ｄ、７ｅの一方の側板７ｄに設けられており、当該側板７ｄに対し支軸１３ａを介して回転可能に取り付けられた駆動ギア１３と、この駆動ギア１３の支軸１３ａに対して筐体２の前後方向へ揺動可能に取り付けられた切換プレート１２と、駆動ギア１３に取付けピン１４ａを介して取り付けられると共に、筐体２の外側に位置して回転可能と成した操作ハンドル１４と、それぞれ駆動ギア１３と噛み合い前記切換プレート１２に回転可能に支軸１５ａ、１６ａを介して取り付けられた一対の第１ギア１５及び第２ギア１６と、前記第２ロール９の支軸９ａへ調節ネジ１８ｂを用いて取り付けられ、前記第１ギア１５によって駆動させられる第１クラッチ手段１７付きの第３ギア１８と、第３ロール２２に取り付けられ前記第２ギア１６によって側板７ｄに支軸１９ｃを介して回転可能に取り付けられた大径中間ギア１９ａと小径中間ギア１９ｂを介して駆動させられるところの支軸２１ａを介して側板７ｄに回転可能に取り付けられた第２クラッチ手段２０付きの第４ギア２１と、を有する。尚、切換プレート１２の揺動幅は、側板７ｄに設けた一対の第１ストッパー部２４と第２ストッパー部２５によって規制される構成である。また、図３と図７において、指示記号１３ｂで示したものは、駆動ギア１３の支軸１３ｂが側板７ｄから抜け出さないように規制するＥリングである。    
【００２４】
尚、駆動手段６の切換手段６ａは、切換プレート１２と、駆動ギア１３と、第１ギア１５と第２ギア１６とで構成されていて、駆動手段６の回転方向を左右方向に切り換えるものである。
【００２５】
第１クラッチ手段１７と第２クラッチ手段２０のうち第１クラッチ手段１７は、第２ロール９の支軸９ａに第３ギア１８が回転可能に取り付けられ、この第３ギア１８と第２ロール９との間には、クラッチ歯部１８ａ、９ｂから成るギア式伝達機構が設けられると共に、第３ギア１８を第２ロール９へ押しつけるために第１圧縮コイルスプリング２６が設けられている。第２クラッチ手段２０は、第１クラッチ手段１７とその構成が同じであるが、第３ロール２２の回転支軸２２ａに第４ギア２１が回転可能に取り付けられると共に、この第４ギア２１と第３ロール２２との間には、クラッチ歯部２１ａ、２２ｂからなるギア式摩擦機構が設けられ、第４ギア２１を第３ロール２２へ押しつけるために第２圧縮コイルスプリング２７が設けられている。
【００２６】
次に、本発明に係るおもしろ貯金箱１についてその動作を説明する。まず、何もしない自然状態においては、図４に示したように、切換プレート１２が重心位置の違いで筐体２の後方側へ倒れて第１ストッパー部２４に当接しており、この位置で第２ギア１６と第３ギア１８は互いに噛み合っている。そこで貯金者が図８と図１１に示したように、例えば本物の１０，０００円札（以下紙幣という場合がある）２８をもって紙幣挿入用スリット２ｆへ挿入させると、この紙幣挿入用スリット２ｆに設けたフォトセンサー２ｊがＯＮされ、表示ランプ２ｈが点灯し、さらに音声発生手段２ｉから、例えば「ありがとうございます。」といったアナウンスが流れ、また、場合によっては音楽が流れる。次いで、紙幣２８を筐体２の中に収容させるべく、操作ハンドル１４を左方向へ回転させると、まず、図９と図１２に示したように、共に回転する駆動ギア１３を介してその回転駆動力が第１ギア１５と第３ギア１８を介して第２ロール９へ伝達され、この第２ロール９が右回転することにより、同時に第１ロール８が左回転し、当該１０，０００円札の紙幣２８は第１ロール８と第２ロール９の間に挟まれて、図１０と図１３に示したように、筐体２内部に送り込まれ、紙幣貯留室７ｂ内部へ収容され貯金が完了する。
【００２７】
このように操作ハンドル１４を左方向へ回転させると、右回転する第２ロール９に巻きつけられている複数の短冊状に切られた模擬紙幣４が、図９と図１０に示したように、駆動ベルト１０と共に送り出され、この状態を透明窓部７ｇから見た者は、投入した本物の紙幣２８が丁度シュレッダーにかけられたように刻まれて出てくるので、一瞬１０，０００円札が細かく短冊状に切断されてしまったかのような錯覚を覚え、驚くことになる。この模擬紙幣４の送り出し量は、本物の紙幣２８の受け入れ量と同じになるので、紙幣２８が受け入れられる幅と模擬紙幣４が送り出される幅が一致するので、さらに臨場感が増し、アッと驚くことになる。
【００２８】
また、途中で操作ハンドル１４を逆回転させると、図１４に示したように、切換プレート１２が先ほどとは逆方向へ搖動し、第２ギア１６と大径中間ギア１９ａが噛み合い、この大径中間ギア１９ａの回転駆動力は重ねて一体に設けられた小径中間ギア１９ｂを介して第４ギア２１へ伝達され、第３ロール２２が左回転し、駆動ベルト１０に押されて第２ロール９が先ほどとは逆方向へ右回転することから、紙幣２８は駆動ベルト１０と共に第２ロール９に巻き取られ、切れた紙幣がまたくっついて再生するような錯覚を受ける事から、再び驚くことになる。
【００２９】
次に、紙幣２８が紙幣貯留室７ｂ内へ収容された後においても操作ハンドル１４を操作していると、駆動ベルト１０の他端部が第３ロール２２に対して巻き戻されて行き、所定の巻き戻し量に達すると、第２ロール９に対する巻き戻しが終了し、駆動ベルト１０の一端部が第２ロール９に固着されていることから、第２ロール９の回転は停止される。この状態からさらに操作ハンドル１４を操作していると、第２ギア１６が第２クラッチ手段２０によって空転し、それ以上は模擬紙幣４を巻き戻して送り出すことなく、空転し模擬紙幣４の送り出しを停止するので、当該模擬紙幣４が必要以上に送り出されることはない。
【００３０】
次に、操作ハンドル１４を逆方向へ回転させると、今度は切換プレート１２が反対方向へ揺動し、第２ギア１６が大径中間ギア１９ａと噛み合うことになる。この状態から操作ハンドル１４に対する回転操作を継続させると、小径中間ギア１９ｂを介して第４ギア２１が回転し、この第４ギア２１に取り付けた第３ロール２２が先ほどとは逆方向へ回転することから、駆動ベルト１０を介して第２ロール９が回転し、駆動ベルト１０と共に模擬紙幣４を元の第２ロール９に巻き付く方向へ移動することから、模擬紙幣４は第２ロール９に巻き戻されて透明窓部７ｇから見えないようになる。模擬紙幣４が第２ロール９へ全て巻き戻されると、駆動ベルト１０の他端部が第３ロール２２に固着されているので、操作ハンドル１４を右方向へ回転させても、第３ロール２２は第２クラッチ手段２０によって第４ギア２１が空転することから、第３ロール２２の回転は停止させられた状態を保つことになる。
【００３１】
また、第３ロール２２が回転する際には第４ギア２１が同時に回転し、この第４ギア２１の歯部に接して取り付けたコイルスプリング２９が第４ギア２１の歯部に接して「きりきり」という音を発生させ、メカ式の音出し手段２３を構成するものである。この音は、音声発生手段２ｉから発音させることもできるし、音声発生手段２ｉと併用して用いることもできる。本発明において、音声発生手段といった場合には、この両者を含んでいる。また、この音出し手段２３は、ギア又は板バネなどで構成することができる。
【００３２】
このようにして、本物の例えば１０，０００円札紙幣２８を、本発明に係るおもしろ貯金箱１の紙幣挿入用スリット２ｆへ挿入させ、操作ハンドル１４を回転させると、この１０，０００万円札紙幣２８がおもしろ貯金箱１の中に送り込まれ、同時に透明窓部７ｇからは、この本物の１０，０００円札紙幣２８にそっくりの模擬紙幣４が丁度シュレッダーにかけられたように複数の短冊状に切断された状態で窓側に送り出されてくるので、これを見た人は一瞬１０，０００札紙幣が、シュレッダーにかけられてしまったかのような錯覚を与え、一種の驚きを覚えさせることができるものであり、さらに、紙幣２８を途中まで筐体２内へ送り込み、操作ハンドル１４を止めて今度は逆方向へ回転させると、切れた紙幣２８がくっついて元通りになるような錯覚を与え、２重の驚きを見る人に与え興趣に飛んだおもしろ貯金箱１ということになる。尚、用いる紙幣２８は、１０，０００円札に限らず、その他の日本及び外国の紙幣を用いることができる。また、硬貨投入口２ｇからはさまざまな硬貨を投入させ、硬貨の預金箱としても用いることが可能である。硬貨投入口２ｇから投入された硬貨は、実施例では紙幣貯留室７ｂ内に貯金されるが、別に貯留室を設けてもよい。
【００３３】
さらに、実施例では駆動力は操作ハンドル１４を手で操作する手動によっているが、別に駆動モータを設けてスイッチ操作によって自動的に駆動手段６を動作させるように構成してもよい。
【００３４】
図１５は、第１及び第２クラッチ手段の他の実施例を示し、基本的には同じ構成であるので、同一図面で示してある。図面によれば、この実施例２のクラッチ手段は、実施例１と同じように第１クラッチ手段３０と第２クラッチ手段３１とから成る。このうち第１クラッチ手段３０は第２ロール３２の支軸３２ａに第３ギア３３が回転可能に取り付けられ、この第３ギア３３と第２ロール３２との間には、例えばゴム製の摩擦ワッシャ３４から成る摩擦式伝達機構が設けられると共に、第３ギア３３を第２ロール３２へ押しつけるために圧縮コイルスプリング３５が設けられている。次に、第２クラッチ手段３１は、第３ロール３６の支軸３６ａに第４ギア３７が回転可能に取り付けられると共に、この第４ギア３７と第３ロール３６との間には、ゴム製の摩擦ワッシャ３８から成る摩擦式伝達機構が設けられ、第４ギア３７を第３ロール３６へ押しつけるために圧縮コイルスプリング３９が設けられている。
【００３５】
このように実施しても、クラッチ手段としての機能を果たすことができ、第２ロール３２と第３ロール３６を所定の回転数で停止させ、その後は第３ギア３３と第４ギア３７が空転するものである。
【産業上の利用可能性】
【００３６】
本発明は、以上のように構成したので、意外性と興趣に富んだおもちゃ的要素と、トリック的な手品的要素を併せ持ったところの大人も子供も楽しんで貯金ができるおもしろ貯金箱として、好適に用いられるものである。
【符号の説明】
【００３７】
１  おもしろ貯金箱
２  筐体
２ｆ  紙幣挿入用スリット
２ｇ  硬貨投入口
２ｈ  表示ランプ
２ｉ  音声発生手段
２ｊ  フォトセンサー
２ｋ  電池収納部
３  紙幣受入れ手段
４  模擬紙幣
５  模擬紙幣出し入れ手段
６  駆動手段
６ａ  切換手段
７  機枠
７ｂ  紙幣貯留室
７ｃ  模擬紙幣出し入れ室
７ｄ  側板
７ｇ  透明窓部
８  第１ロール
８ａ  フリクションリング
９  第２ロール
９ｂ  クラッチ歯部
９ｃ  スリット
９ｄ  固定ピン
１０  駆動ベルト
１１  押えカバー
１２  切換プレート
１３  駆動ギア
１４  操作ハンドル
１５  第１ギア
１６  第２ギア
１７  第１クラッチ手段
１８  第３ギア
１８ａ  クラッチ歯部
２０  第２クラッチ手段
２１  第４ギア
２１ａ  クラッチ歯部
２１ｂ  調節ネジ
２２  第３ロール
２２ｂ  クラッチ歯部
２３  音出し手段
２４  第１ストッパー部
２５  第２ストッパー部
２６  圧縮コイルスプリング
２７  圧縮コイルスプリング
２８  紙幣
２９  コイルスプリング
３０  第１クラッチ手段
３１  第２クラッチ手段
３２  第２ロール
３３  第３ギア
３４  摩擦ワッシャ
３５  圧縮コイルスプリング
３６  第３ロール
３７  第４ギア
３８  摩擦ワッシャ
３９  圧縮コイルスプリング
【図１】
2016116784.tif 000003
【図２】
2016116784.tif 000004
【図３】
2016116784.tif 000005
【図４】
2016116784.tif 000006
【図５】
2016116784.tif 000007
【図６】
2016116784.tif 000008
【図７】
2016116784.tif 000009
【図８】
2016116784.tif 000010
【図９】
2016116784.tif 000011
【図１０】
2016116784.tif 000012
【図１１】
2016116784.tif 000013
【図１２】
2016116784.tif 000014
【図１３】
2016116784.tif 000015
【図１４】
2016116784.tif 000016
【図１５】
2016116784.tif 000017